(57)【要約】【課題】表示装置における時差設定に関し、設定される時差を各時差の並びと共に容易に把握でき、かつ時差設定を示す表示画面の外観意匠性を良好にすること。【解決手段】時計は略円筒状に湾曲して設けられる表示パネル３０を備え、時差修正モードで操作ボタン４３２等を操作すると、表示パネル３０の画像領域の周方向にほぼ沿って並んだ各タイムコード５５が時差の順に選択状態とされる。ここで、画像領域の周方向にほぼ沿って各タイムコード５５が時差の順で並ぶ様子が地球の経度方向に各国の都市が並ぶ態様に類似しているため、選択状態とされたタイムコード５５が示す時差を各時差の並びと共に直感的に、容易に把握できる。加えて、表示パネル３０の略円筒状の画像領域の周方向に沿って各タイムコード５５が分散して配置されているため、その略環状の画像領域と一体感・統一感が有る良好な意匠性を獲得することができる。【選択図】図１３
2008145173.tif 000002
【特許請求の範囲】
【請求項１】
計時する計時部と、
前記計時部で計時した計時情報を表示する表示体とを備え、
前記表示体は少なくとも、略筒状の画像領域を有し、
前記画像領域の周方向にほぼ沿って、基準時からの時差をそれぞれ示す各時差表示が時差の順に並んでおり、
前記各時差表示のうち前記計時部に設定される時差を示すものが選択状態とされている
ことを特徴とする表示装置。
【請求項２】
請求項１に記載の表示装置において、
前記計時部に設定される、基準時からの時差を選択する操作を行う操作部材を備え、
前記操作部材の操作により、前記各時差表示が時差の順に前記選択状態とされる
ことを特徴とする表示装置。
【請求項３】
請求項２に記載の表示装置において、
前記操作部材として、前記各時差表示を前記基準時に対して＋方向で順に前記選択状態とするプラス部材と、前記各時差表示を前記基準時に対して−方向で順に前記選択状態とするマイナス部材とを備える
ことを特徴とする表示装置。
【請求項４】
請求項１から３のいずれかに記載の表示装置において、
前記各時差表示は、それぞれが示す前記基準時からの時差が同じで当該基準時に対する＋−が異なるもの毎に対とされ、
前記対とされたもの同士は、前記画像領域の互いに近接する位置にそれぞれ配置されている
ことを特徴とする表示装置。
【請求項５】
請求項１に記載の表示装置において、
前記各時差表示はいずれも、前記画像領域に表示されており、
前記選択状態は、当該選択状態とされる前記時差表示がその他の前記時差表示に対して表示態様の相違を有する状態である
ことを特徴とする表示装置。
【請求項６】
請求項１または５に記載の表示装置において、
前記画像領域の周方向にほぼ沿って、前記計時情報の時を示す一連の数字がその数値の大きさ順に並んでおり、
前記各時差表示は、それぞれが示す前記基準時からの差の時間と同じ数値を示す前記数字の位置と、前記画像領域の周方向で近傍となる位置に配置され、
前記各数字は、当該数字の位置と前記画像領域の周方向で近傍となる前記時差表示の選択状態を示すために、他の前記数字と表示態様の相違を有する状態で表示されている
ことを特徴とする表示装置。
【請求項７】
請求項１から８のいずれかに記載の表示装置において、
前記表示体は、電気泳動ディスプレイとされている
ことを特徴とする表示装置。
【請求項８】
請求項５から７のいずれかに記載の表示装置において、
前記時差表示に係る表示態様の相違および／または前記数字に係る表示態様の相違は、前記表示体に表示される表示色のコントラストの相違、または前記表示体に表示される表示色の色彩の相違による
ことを特徴とする表示装置。
【請求項９】
請求項１に記載の表示装置において、
前記画像領域の一部には、前記選択状態とされる前記時差表示の示す時差を前記計時部に適用した際の時刻を表示する時差時刻表示部が配置され、
前記時差時刻表示部は、前記時差が０であることを示す前記時差表示の位置と前記画像領域の周方向で近傍となる位置に配置されている
ことを特徴とする表示装置。
【請求項１０】
請求項１から９のいずれかに記載の表示装置において、
略環状のケースを備え、
前記表示体は、前記ケースの周方向に沿って湾曲した状態で当該ケースに設けられている
ことを特徴とする表示装置。
【発明の詳細な説明】
【技術分野】
【０００１】
本発明は、基準時からの時差設定が可能な世界時計機能を有する表示装置に関する。
【背景技術】
【０００２】
従来、世界時計機能（ワールドタイム機能）付きの時計などの表示装置においては、各国の都市から所望の都市を選択することにより基準時からの時差を設定していた（例えば、特許文献１、２）。
この時差設定の方法は、特許文献２などにもあるように、都市設定モードの画面などにおいて、操作ボタンの操作により都市入力項目に列挙される各都市名から所望の都市を選択するものであり、現在設定されている都市名が都市入力項目に表示されるものとなっている。
ここで、特許文献１、２の機器は、機器の正面や裏面に設けられた液晶パネルにおいて平面状の画像領域を有するものとなっているが、近年では、リング状のケースの外周部に沿って電気泳動ディスプレイが設けられ、略円筒面状の画像領域を有する時計が提案されている（例えば、特許文献３）。このようなリング状のバングル・タイプとされた時計では、装身具（アクセサリー）としての装飾性が強く求められている。
【０００３】
【特許文献１】特開２００１−１９４４７４号公報（段落００３３）
【特許文献２】特開２００６−１７０８５５号公報（段落００４５〜００４７、図１２）
【特許文献３】特開２００６−１７１４１２号公報
【発明の開示】
【発明が解決しようとする課題】
【０００４】
従来の時差設定の方式、すなわち列挙される都市名の中から所望の都市を選択し、かつ設定中の都市名を入力項目に表示する方式は、操作性の面で改良の余地があった。すなわち、地球のタイムゾーンは経度方向に２５個設けられ、各タイムゾーンの殆ど全てにそれぞれ少なくとも１つ以上の都市が属しているが、このように多くの都市があるため、入力項目に表示された都市が各都市の配列順でどの位置にあるのかを把握することが困難であり、また各都市がどのような順序で列挙されるのかも判りずらい。このため、現在設定されている都市を各都市が並んでいる状態における位置関係と共に把握することが難しいとともに、操作ボタンで、都市の選択をどちらの方向に切り替えていけば良いのか判りずらい。
ここで、特許文献３のようなリング状の時計に世界時計機能を装備するにあたり、各都市が入力項目に列挙される従来同様の操作方法を適用したとしても、その時差設定を行う際の画面は、リング状とされた時計の設定画面としては意匠性に乏しい。
【０００５】
本発明の目的は、略筒状の画像領域部分を有する表示装置における時差設定に関し、設定される時差を各時差の並びと共に容易に把握でき、かつ時差設定を示す表示画面の外観意匠性を良好にすることにある。
【課題を解決するための手段】
【０００６】
本発明の表示装置は、計時する計時部と、前記計時部で計時した計時情報を表示する表示体とを備え、前記表示体は少なくとも、略筒状の画像領域を有し、前記画像領域の周方向にほぼ沿って、基準時からの時差をそれぞれ示す各時差表示が時差の順に並んでおり、前記各時差表示のうち前記計時部に設定される時差を示すものが選択状態とされていることを特徴とする。
【０００７】
ここで、略筒状の画像領域を有する表示体としては、例えば環状のケースの外周部に沿って湾曲した状態で設けられ、略円筒面状の画像領域を有する表示パネルや、球体の表面に倣った球面状の画像領域を有する表示体などを例示できる。なお、球面状の画像領域における周方向は、球体断面における円周方向として規定でき、この円周方向を含む帯状の部分が略筒状の画像領域に該当する。
略環状の画像領域は、連続した輪の形状でなくてもよく、例えばＣ字形状などでもよい。また、略環状には、円形状、楕円形状、多角形状などが含まれる。
【０００８】
また、「時差の順に並んで」というのは、基準時からの時差が有ることを示す各時差表示がその時差の順に並んでいることを言い、基準時からの時差が０、つまり時差が無いことを示す時差表示については、必ずしも、他の時差表示と共に時差の順に並んでいなくてもよい。
なお、「基準時」とは、協定世界時（ＵＴＣ；coordinated universal time）や、グリニッジ平均時（ＧＭＴ；Greenwich mean time）などを指す。
【０００９】
この発明によれば、画像領域の周方向にほぼ沿って各時差表示が時差の順で並ぶ様子が地球の経度方向に各国の都市が並ぶ態様に類似しているため、選択状態とされた時差表示が示す時差を各時差の並びと共に直感的に、容易に把握できる。
これに加えて、本発明では、略環状の画像領域の周方向に沿って各時差表示が分散して配置されているため、例えば従来同様に画像領域の一部に入力項目が表示されるような場合と比べて、その略環状の画像領域の形状から違和感が無く、言い換えればその略環状の画像領域と一体感・統一感が有る良好な意匠性を獲得することができる。すなわち、略環状の画像領域を有する表示装置としての商品価値を維持し、略環状の画像領域を活かした時差表示方法を実現することができるので、外観意匠性を大きく向上させることができる。
【００１０】
なお、選択状態とされる時差表示以外の各時差表示の表示態様は、表示状態／非表示状態を問わない。すなわち、各時差表示が時差順に画像領域の周方向に並んでいるレイアウト自体により、選択状態にある時差表示の把握が直感的で容易となる。
また、各時差表示としては、例えば基準時からの時差時間である０、＋１、＋２、・・・＋１２、−１２、−１１、−１０、・・・−２、−１などの各数値の数字でも良いし、これらの各時差時間に対応するタイムゾーンを規定するのに用いられる符号（図１９のＡ〜Ｍ、Ｚ、Ｎ、Ｏ〜Ｙ）でも良いし、各時差に対応する都市名などであっても良い。
なお、図１９は、実際のタイムゾーンを簡略化して模式的に示している。
【００１１】
ここで、選択状態には、計時部にこれから設定する対象の時差を順次選択していく時差修正過程において各時差表示が選択される状態も、計時部に既に設定されている時差を表示するために時差表示が選択状態とされている状態も含まれる。
また、時差表示が選択状態とされていることには、時差表示自体の表示態様が他の選択されない時差表示と異なる表示態様とされていることのほか、選択状態の時差表示を指し示すマークのような表示が、選択状態とされるべき時差表示の近傍に付されている状態なども含まれる。
【００１２】
本発明の表示装置では、前記計時部に設定される、基準時からの時差を選択する操作を行う操作部材を備え、前記操作部材の操作により、前記各時差表示が時差の順に前記選択状態とされることが好ましい。
【００１３】
この発明によれば、当該操作部材により、略筒状の画像領域を活かした時差設定の操作方法を実現可能となる。すなわち、前述のように、選択状態とされた時差表示が示す時差を各時差の並びと共に直感的に容易に把握できるから、操作部材で時差表示を何個分、選択切換すればよいのかも直感的に容易に判る。
【００１４】
本発明の表示装置では、前記操作部材として、前記各時差表示を前記基準時に対して＋方向で順に前記選択状態とするプラス部材と、前記各時差表示を前記基準時に対して−方向で順に前記選択状態とするマイナス部材とを備えることが好ましい。
【００１５】
プラス部材およびマイナス部材を備える本発明においては、時差の選択を＋−いずれの方向に切り替えればよいのかが直感的に容易に判る。
また、＋−いずれかの方向にしか時差選択できない場合は、略３６０°（略１周）、時差表示の選択を切り替えなければならないことが有り得るが、本発明では、時差表示の選択を表示体の周方向に３６０°切り換えなくても迅速に時差設定可能となる。
【００１６】
本発明の表示装置では、前記各時差表示は、それぞれが示す前記基準時からの時差が同じで当該基準時に対する＋−が異なるもの毎に対とされ、前記対とされたもの同士は、前記画像領域の互いに近接する位置にそれぞれ配置されていることが好ましい。
【００１７】
この発明によれば、基準時に対する差の時間が同じ時差表示が互いに近接する位置にまとめて配置されることにより、基準時からの時間を示す−１２、・・・−１、０、＋１、・・・＋１２の２５個の時差表示が周方向に並ぶ場合と比べて、各時差表示の表示位置が整理された見やすい表示画面を実現できる。これにより、時差の選択操作も容易に行うことができる。
また、時差時間が同じものは近接配置することでスペース効率がよくなり、時差表示の数が多くても画像領域にレイアウトし易くなる。レイアウトの自由度が広がることで、より装飾的な表現が可能となる。
【００１８】
本発明の表示装置では、前記各時差表示はいずれも、前記画像領域に表示されており、前記選択状態は、当該選択状態とされる前記時差表示がその他の前記時差表示に対して表示態様の相違を有する状態であることが好ましい。
【００１９】
この発明によれば、選択状態とされない時差表示も表示されることから、表示体の画像領域をより装飾的にできる。これにより、画面の意匠性をより一層向上させることができる。
ここで、このように複数の時差表示が画像領域に分散して表示されていても、選択状態とされる時差表示と他の時差表示とは表示態様が相違するため、この表示態様の相違に基づいて、選択状態にある時差表示を容易に判別できる。
すなわち、見易さを確保しつつ外観意匠性を大きく向上させることができるから、時差設定の際も表示画像のデザイン性が失われない装飾品としての表示装置を提供することが可能となる。
【００２０】
本発明の表示装置では、前記画像領域の周方向にほぼ沿って、前記計時情報の時を示す一連の数字がその数値の大きさ順に並んでおり、前記各時差表示は、それぞれが示す前記基準時からの差の時間と同じ数値を示す前記数字の位置と、前記画像領域の周方向で近傍となる位置に配置され、前記各数字は、当該数字の位置と前記画像領域の周方向で近傍となる前記時差表示の選択状態を示すために、他の前記数字と表示態様の相違を有する状態で表示されていることが好ましい。
【００２１】
この発明によれば、時の表示に使用される数字の表示態様によって、その数字の位置と表示領域の周方向で近傍となる時差表示の選択状態が示されるため、数字によって、時差表示が示す時間が直接的に示されることになる。つまり、時差表示自体はその時差時間を示す直接的な表示（例えば数字）とされていなくても、選択されている時差表示を明確に認識できる。このため、時差表示は、都市名など時差を間接的に示す表示や、時差とは意味的に関係のない装飾的な表示とすることができる。
なお、時を示す数字が画像領域の周方向に沿って分散して配置されていることで、略筒状の表示領域と一体感ある意匠性良好な時刻表示を実現できる。
【００２２】
本発明の表示装置では、前記表示体は、電気泳動ディスプレイとされていることが好ましい。
【００２３】
この発明によれば、微細な電気泳動粒子を利用する電気泳動ディスプレイの採用により高精細な表示が可能となり、選択状態の表示態様と他の状態の表示態様とを明確に判別し得る態様で表示することが可能となるため、時差設定の見易さをより向上させることができる。
また、電気泳動ディスプレイは、一対の基板間に電圧を印加して電気泳動粒子を移動させることで表示面における表示・非表示の切換えを行うものであって、電圧印加しない際には電気泳動粒子がその位置に留まり、その粒子による表示状態が保持される。なお、この表示状態を長時間保持する場合には、電圧を印加して粒子を適正な位置に戻す所謂リフレッシュ処理を適宜な時間間隔で実施しても良いが、基本的に、電気泳動ディスプレイは表示を切り換えない際の保持性が高いことから、省電力化を図ることができる。
【００２４】
電気泳動ディスプレイの駆動方式は、ドットマトリックス方式でも、セグメント方式でもよい。本発明では、時差表示などが表示体に分散して配置されるから、従来の７個や１３個のセグメントにより一つの数字を表す所謂７セグ表示などに捉われない自由な画像表現が可能となる。
なお、セグメント方式を採用する場合、時差表示などをそれぞれ示す文字・記号等の形状に電極（基板に形成する電極）を形成することができる。
また、時差表示や時を示す数字の書体やサイズ、向き（上下向き、表裏反転等）などは自由にデザインすることができる。各表示間において、書体やサイズが異なっていてもよい。
【００２５】
本発明の表示装置では、前記時差表示に係る表示態様の相違および／または前記数字に係る表示態様の相違は、前記表示体に表示される表示色のコントラストの相違、または前記表示体に表示される表示色の色彩の相違によることが好ましい。
【００２６】
この発明によれば、表示態様の相違がコントラストの相違、または色彩の相違とされることにより、各時差表示や各数字に係る選択状態の表示態様と他の表示態様とをそれぞれ容易に実現でき、また、これらの各態様により、統一感ある表示とすることができる。
ここで、表示パネルとして電気泳動ディスプレイが採用されている場合、電気泳動ディスプレイでは、電気泳動粒子が一方の基板側に移動した際と他方の基板側に移動した際とにおけるコントラストを高くできるので、各表示態様を大きいコントラスト差で表現することが可能という利点がある。これにより、表示をより一層見易くすることができる。
なお、電極泳動ディスプレイなど、複数のコントラスト階調を表現可能な表示体の場合であって、例えば黒、グレー、白の各階調で表示を行う場合には、例えば白色を背景色として選択状態を黒色で強調して表現し、その他の状態の表示をグレー色で表現することが可能である。
また、電気泳動ディスプレイにおいて、色彩の相違により各表示態様を表現する場合は、例えば、白・青のように色彩が異なり、かつ極性が異なる二つの粒子を使用し、これら粒子の電気泳動層における位置に応じた表示色の相違を利用すればよい。
【００２７】
なお、電気泳動ディスプレイは、電気泳動層を介在させた一対の基板を有するパネルが複数積層されて構成されていてもよく、この場合、各パネルそれぞれにおける粒子の色、電気泳動層の溶液の色などによって、コントラストや色彩が表現される。
【００２８】
本発明の表示装置では、前記画像領域の一部には、前記選択状態とされる前記時差表示の示す時差を前記計時部に適用した際の時刻を表示する時差時刻表示部が配置され、前記時差時刻表示部は、前記時差が０であることを示す前記時差表示の位置と前記画像領域の周方向で近傍となる位置に配置されていることが好ましい。
【００２９】
この発明によれば、時差時刻表示部が時差０の時差表示の位置の近傍に配置されるため、この時差時刻表示部によって各時差表示の配列が分断されることを回避できる。つまり、各時差表示の並びが連続的となり、時差時刻表示部を設けても各時差表示の並びにおける時差表示の位置関係の把握を容易に行うことができる。
また、設定操作を行う際に、選択中の時差を適用した際の時刻が時差時刻表示部に表示されることにより、時差設定の操作性がより向上する。
【００３０】
本発明の表示装置では、略環状のケースを備え、前記表示体は、前記ケースの周方向に沿って湾曲した状態で当該ケースに設けられていることが好ましい。
【００３１】
この発明によれば、ケースの環の中に腕などを挿通して装着するバングルタイプの表示装置とすることができるので、前述した装飾性をより効果的に発揮させることができる。
なお、前記の電気泳動ディスプレイは、可撓性基板の採用により表示パネルに可撓性を持たせることができるので、本発明の構成として好適である。
【発明の効果】
【００３２】
本発明によれば、略筒状の画像領域部分を有する表示装置における時差設定に関し、設定される時差を各時差の並びと共に容易に把握でき、かつ時差設定を示す表示画面の外観意匠性を良好にすることができる。
【発明を実施するための最良の形態】
【００３３】
以下、本発明の一実施形態について図面を参照して説明する。
【００３４】
［１．全体構成］
図１は、本実施形態の表示装置としての電子時計１の斜視図である。この時計１は、円環状のケース２の外周面に沿って表示パネル３０が設けられ、その環の中に腕などを通して装着するバングルタイプのウォッチとされている。
【００３５】
図２は、時計１の横断面図であり、図３は、図２のIII−III線断面図である。なお、図２では断面を示すハッチの図示は省略した。
時計１は、ケース２と、電気泳動ディスプレイである表示パネル３０（表示体）を有する表示モジュール３とを備えている。ケース２は、図３に示すように、厚み方向両端それぞれからケース２の径方向外側に突出する凸部２１，２１を有して全体がボビン形状とされ、凸部２１，２１の間に表示モジュール３が組み込まれている。また、ケース２は、表示モジュール３を覆う円筒状のカバーガラス２２と、当該ケース２内周側に配置される裏蓋２３とを有する。裏蓋２３の厚み方向両端部は、各凸部２１にそれぞれネジ２４で固定されている。
【００３６】
図４は、時計１の表示パネル３０側の側面図である。カバーガラス２２の内側でかつケース２の周方向の一部には、飾り板３４が設けられている。
そして、ケース２の凸部２１における飾り板３４の近傍には、複数の操作部材としての操作ボタン４３１〜４３３が設けられている。
【００３７】
［２．表示モジュールの構成］
図５は、表示モジュール３の平面図である。表示モジュール３は、表示パネル３０と、この表示パネル３０を駆動するとともに計時部を備える駆動回路部４０とを有して構成されている。図６は、表示パネル３０の断面図である。
なお、図５、図６では、分かり易くするために、表示パネル３０を平面的に表したが、表示パネル３０は、図１にも示すように湾曲した状態とされ、略円筒面状の画像領域を有する。
回路基板４２と表示パネル３０とは個別に製造され、図５に示すように、異方性導電膜（ＡＣＦ；Anisotropic Condactive Film）などによる配線部材４１２で接続されている。
【００３８】
［２−１．駆動回路部の構成］
回路基板４２は、ポリイミドやポリエステルなどの可撓性を有する樹脂から形成されたフレキシブル基板である。回路基板４２上には、可撓性を有するリチウムポリマー電池などから構成されて各部に電力を供給する電源４２９と、時計１全体を制御する制御用コントローラ４２５と、ドライバＩＣから構成されて表示パネル３０の表示制御を実行する表示駆動回路素子４２６と、３つのタッチセンサ４２７と、計時部を構成する水晶発振回路素子４２８とがそれぞれ実装されている。なお、各タッチセンサ４２７には操作ボタン４３１〜４３３（図４）がそれぞれ対応する。
また、表示駆動回路素子４２６と配線部材４１２とは、詳しい図示を省略するが、互いに接続されている。
【００３９】
［２−２．表示パネルの構成］
表示パネル３０は、ケース２の外周面略全体に亘り帯状に設けられ、図６に示すように、表示基板３１と、透明基板３２と、表示基板３１および透明基板３２の間に設けられた電気泳動層３３とを含んで構成されている。表示パネル３０に表示される計時情報は、表側に配置される透明基板３２を通して視認される。これらの透明基板３２および表示基板３１はポリイミドやポリエステル等の可撓性を有する樹脂から形成されている。
このような表示パネル３０は、図２に示すように、略３６０°の円形状に湾曲されその両端が互いに継ぎ合わせられている。図４にも示した飾り板３４は、この継ぎ目を隠している。
【００４０】
図６に戻り、表示基板３１の表面（透明基板３２との対向面）には、セグメント電極３１０が設けられるとともに、長手方向の両端部に、透明基板３２側の電極に導通される電極３２１，３２２がそれぞれ設けられている。
セグメント電極３１０の表面には、接着剤（接着層）ＡＤが設けられることにより、複数のマイクロカプセル３３０が接着されている。これらのマイクロカプセル３３０は、電気泳動層３３を構成する。
【００４１】
表示基板３１の裏面には、表示基板３１表面に形成されたセグメント電極３１０、および電極３２１，３２２を配線部材４１２（図５）を介して回路基板４２に導通する配線３１２が形成されている。各配線３１２と各電極との間は、表示基板３１を厚み方向に貫通するビア３１４によって接続されている。
【００４２】
一方、透明基板３２の裏面（表示基板３１との対向面）には、ＩＴＯ（Indium Tin Oxide）などによる透明な共通電極３２０が設けられている。この共通電極３２０は、透明基板３２の裏面略全体に亘って設けられ、各セグメント電極３１０との間でそれぞれ電圧が印加される各セグメント電極３１０共通の電極とされている。この共通電極３２０と、電極３２１，３２２それぞれとの間には、導通部材３２１Ａ，３２２Ａが介装されている。
【００４３】
なお、透明基板３２の表面側に設けられた耐湿シート３２Ａ、および表示基板３１の裏面側に設けられた耐湿シート３１Ａにより、透明基板３２、マイクロカプセル３３０、および表示基板３１等は密封されている。
【００４４】
［３．電気泳動による表示］
図７は、表示パネル３０における電気泳動層３３を示す模式図である。電気泳動層３３は、多数のマイクロカプセル３３０が密集して配置されることによって形成され、各マイクロカプセル３３０には、多数の帯電粒子が分散した電気泳動粒子分散液３３１がそれぞれ封入されている。電気泳動粒子分散液３３１では、黒色の電気泳動粒子（以下、黒粒子という）３３１Ａと、白色の電気泳動粒子（以下、白粒子という）３３１Ｂとが分散され、二色の粉体流体方式の電気泳動層が構成されている。これら黒粒子３３１Ａおよび白粒子３３１Ｂは、互いに異なる極性に帯電しており、本実施形態では、黒粒子３３１Ａがプラス（正）に帯電し、白粒子３３１Ｂがマイナス（負）に帯電している。
【００４５】
すなわち、セグメント電極３１０がローレベル電位（Ｌ電位）であり、共通電極３２０がハイレベル電位（Ｈ電位）の場合、その電位差によって共通電極３２０からセグメント電極３１０に向かう電界が発生し、正に帯電した黒粒子３３１Ａがセグメント電極３１０側に移動するとともに、負に帯電した白粒子３３１Ｂが共通電極３２０側に移動する。
【００４６】
この白色表示の場合とは逆に、セグメント電極３１０をハイレベル電位（Ｈ電位）とし、共通電極３２０をローレベル電位（Ｌ電位）に切り替えた場合、電界の向きが逆転し、表示パネル３０における表示は黒色となる。図８の例では、各数字や文字を構成するセグメントがそれぞれ、黒色で表示されている。
【００４７】
また、黒粒子３３１Ａ、白粒子３３１Ｂの移動量を電圧の印加時間や印加電圧などに応じて調整することにより、黒と白との間の色階調の中間色表示も可能となっている。
なお、電界印加が停止されると、黒粒子３３１Ａ，白粒子３３１Ｂの移動も止まり、そのままの表示色が保持される。
【００４８】
本実施形態において、セグメント電極３１０に表現可能な色階調は、黒色、ダークグレー（濃灰色）、ライトグレー（薄灰色）、および白色の少なくとも４つとなっており、これら黒色、ダークグレー、ライトグレー、および白色のコントラストの相違により、表示態様が異なる４階調の表示が可能となっている。
【００４９】
［４．表示パネルの各セグメント電極］
図８は、表示パネル３０の平面図である。このように表示パネル３０の略全体に亘り、数字や文字等が分散するようにレイアウトされている。これらの数字や文字１つ１つに対応して、それら数字や文字の形状に形成されたセグメント電極３１０がそれぞれ設けられている。これらのセグメント電極３１０は、複数種類の表示要素に分けられるが、その種類の区別が必要ない場合、これらをセグメント電極３１０と総称する。
図８の表示状態は、殆どすべてのセグメント電極３１０に対応する領域を表示パネル３０上に黒色で表示した状態となっている。
【００５０】
また、表示パネル３０の長手方向一端部には、数字１個あたり７つのセグメントを使用した時刻表示部３５が配置されている。この時刻表示部３５における数字１つあたり７個のセグメントおよびコロンはそれぞれ、セグメント電極３１０により構成されている。
【００５１】
なお、表示パネル３０は、表示パネル３０全体の矩形領域からすべてのセグメント電極３１０および時刻表示部３５を除いた領域である背景表示部の表示を行うため、図示しない２つの駆動電極を有する。
【００５２】
［５．表示パネルにおける各表示要素］
図９および図１０に、表示パネル３０に設けられている各セグメント電極３１０による表示をその種類毎に分けて示す。なお、図８と同様、図９、図１０においても、各セグメント電極３１０に対応する表示パネル３０の領域は黒色で表示されている。
図９（Ａ）は「時」を表示する１２個の一連の時桁表示５００を示し、各時桁表示５００は「１」〜「１２」まで、数値が大きい順に表示パネル３０の一端側から他端側に向かって略等間隔で並んでいる。なお、「１」〜「１２」それぞれについて時桁表示５０１〜５１２と表記するが、これらの区別が必要ない場合、時桁表示５００と総称する。
また、図９（Ｂ）は「分」の十の位を表示する６個の十分桁表示５２１を示し、図９（Ｃ）は「分」の一の位を表示する１０個の一分桁表示５２２を示す。
【００５３】
図１０は、パネルのヒビ割れを画像で表現するヒビ表示５３１と、目を描画するスリープ表示５３２と、電池残量低下表示５３３とをそれぞれ示す。
なお、ヒビ表示５３１は、毎正時などに実行されるアニメーション表示動作の開始時に表示される装飾表示であり、スリープ表示５３２は通常モードよりも省電力で動作する省電力モード時に表示される。
【００５４】
図１１は、世界時計機能（ワールドタイム機能）における時差表示としてのタイムコード５５と、サマータイム時に表示される星状の印であるサマータイムマーク５４２とをそれぞれ示す。
ここで、本実施形態は、世界時計機能における時差表示および時差設定の操作について最も大きな特徴を有するものであり、これについては後で詳述する。
【００５５】
［６．時刻情報の表示態様］
図１２は、時計１の通常モードを示し、この通常モードでは、現在時刻が表示パネル３０に表示されている。
図１２で表示されている現在時刻は８時２７分であり、「８」に係る時桁表示５０８と、「２」に係る十分桁表示５２１と、「７」に係る一分桁表示５２２とがそれぞれ黒色で表示されている。
なお、時刻表示部３５においても、現在時刻が表示されている。
【００５６】
ここで、本実施形態では、複数の一分桁表示５２２から現在時刻に応じて特定された「７」に係る一分桁表示５２２が黒色で表示され、その特定された情報の時系列で前後となる前後情報としての「６」および「８」に係る一分桁表示５２２がダークグレー色（濃灰色）で表示されている。
また、本実施形態では、黒色やダークグレー色で表示された表示以外の各時桁表示５００、各十分桁表示５２１、および各一分桁表示５２２はそれぞれライトグレー色（薄灰色）で表示されている。
そして、黒色、ダークグレー、およびライトグレーのいずれでも表示されない各セグメント電極３１０に対応する領域、および背景表示電極（図示せず）の領域は、白色で表示され、表示パネル３０における背景表示を構成している。
【００５７】
［７．時差表示］
次に、時計１が装備する世界時計機能における時差表示について説明する。
図１１に示したように、表示パネル３０には複数のタイムコード５５（５５Ａ〜５５Ｚ）が配置されている。ここで、図１９に示す地球の各タイムゾーン（Ｚ，Ａ，Ｂ，Ｃ・・・）にそれぞれ対応するタイムコード５５Ｚ，５５Ａ，５５Ｂ，５５Ｃ・・・等が設けられているが、これらの区別が必要ない場合、これらをタイムコード５５と総称する。
本実施形態における各タイムコード５５Ｚ，５５Ａ，５５Ｂ，５５Ｃ・・・は、タイムゾーンの符号（Ｚ，Ａ，Ｂ，Ｃ・・・）がフォネティックコードで置き換えられ、タイムゾーンＺなら「Zulu」、タイムゾーンＡなら「Alpha」、タイムゾーンＢなら「Bravo」、タイムゾーンＣなら「Charlie」などの文字で表示されている。
【００５８】
また、各タイムコード５５は２個ずつ対にされて互いに近接する位置に（本実施形態では二段で）表示されている。なお、協定世界時（基準時）に対して時差が「０」であるタイムゾーンＺを意味するタイムコード５５Ｚ（図中、Zulu）のみ、独立して表示されているが、その他の対とされた各タイムコード５５は、タイムゾーンＺを挟んで＋方向、−方向にそれぞれ並ぶ各タイムゾーンのうち、基準時からの時差時間が同じものとなっている。
例えば、時差＋１時間のタイムゾーンＡを示すタイムコード５５Ａと時差−１時間のタイムゾーンＮを示すタイムコード５５Ｎとが対とされ、同様に、時差＋２時間のタイムコード５５Ｂと−２時間のタイムコード５５Ｏとが対とされ、時差＋３時間のタイムコード５５Ｃと−３時間のタイムコード５５Ｐとが対とされている。
【００５９】
このように同じ時差時間のタイムコード５５は時差時間の＋−毎に対とされており、これら対とされたタイムコード５５は、表示パネル３０の一端部から他端部に向かって時差の順に、かつその時差の時間の値と同じ数字である時桁表示５００（図９）の近傍にそれぞれ配置されている。
なお、タイムゾーンＺを示すタイムコード５５Ｚ「Zulu」は、表示パネル３０の一端部近傍に配置されている。後述するように、本実施形態では各タイムコード５５と各時桁表示５００とがそれぞれ対応しており、時桁表示５０１〜５１２には「０」がないため、タイムコード５５Ｚは表示パネル３０の一端部における適宜な位置に配置されているが、勿論、基準時からの時差「０」を示すタイムコード５５Ｚをタイムコード５５Ａよりも表示パネル３０の端部寄りに配置し、全てのタイムコード５５を時差の順に配列してもよい。
このようなタイムコード５５Ｚの近傍に、時刻表示部３５が配置されている。
【００６０】
ここで、表示パネル３０がケース２に組み付けられて湾曲した状態とされた際、各タイムコード５５は表示パネル３０の画像領域の周方向にほぼ沿って並び、その並んだ状態は、地球のタイムゾーンの配列に類似している。言い換えると、これらのタイムコード５５の配列は、地球の経度方向に各国の都市が並ぶ態様に類似しており、ユーザーに地球儀を連想させるものとなっている。
【００６１】
［８．時差修正モード］
次に、図１３を参照して時計１における時差修正の方法を説明する。
本実施形態における操作ボタン４３１〜４３３にはそれぞれ複数の機能が割り当てられているが、本実施形態では、操作ボタン４３１を所定時間押すことにより、時刻表示を行う通常のモードから時差修正（都市変更）モードに切り替わる。
なお、操作ボタン４３１を再度押すか、操作ボタン４３１〜４３３のいずれも操作されずに所定秒経過した際に、時差修正モードから通常モードに復帰する。
時差修正モードでは、操作ボタン４３２が時差をタイムコード５５Ｚ基準で＋方向に１時間ずつ進めるプラス部材として機能し、操作ボタン４３３が時差をタイムコード５５Ｚ基準で−方向に１時間ずつ進めるマイナス部材として機能する。
【００６２】
時差修正モードに移行すると、図１３（Ａ）に示すように、各時桁表示５００と、各タイムコード５５とがそれぞれ表示状態とされる。なお、本実施形態では、「０」の十分桁表示５２１も、画像の装飾的アクセントとして画面に表示されている。
図１３（Ａ）は、時差が＋１０時間に設定されている状態を示し、「１０」の時桁表示５１０と、時差＋１０時間を示すタイムコード５５Ｋとがそれぞれ強調色で選択状態で表示されている。このように、時桁表示５００は、通常モードにおける時表示と、時差修正モードにおけるタイムコード５５の選択状態表示とに兼用されている。
なお、図１３は、サマータイム時の表示を示し、強調表示されて選択状態とされるタイムコード５５に最も近い位置のサマータイムマーク５４２が強調色の黒色で表示されている。
【００６３】
図１３（Ａ）では背景色が白であるため、この白に対してコントラストが強い黒色が強調色とされ、これら黒色で選択状態とされた以外の時桁表示５００およびタイムコード５５はすべてライトグレーで表示されている。
また、通常モードから時差修正モードに移行した際の図１３（Ａ）では、時刻表示部３５において、現在計時部に設定されている時差に基づく時刻が表示される。この時刻表示部３５は、時差時刻表示部として機能する。
【００６４】
図１３（Ａ）の状態で操作ボタン４３２を一度押すと、図１３（Ｂ）のように、強調表示される時桁表示５００およびタイムコード５５の選択が変わり、「１１」の時桁表示５１１と、時差＋１１時間を示すタイムコード５５Ｌとがそれぞれ強調色で選択状態で表示される。
同様に、図１３（Ｂ）の状態で操作ボタン４３２をもう一度押すと、図１３（Ｃ）のように、強調表示される時桁表示５００およびタイムコード５５の選択が変わり、「１２」の時桁表示５１２と、時差＋１２時間を示すタイムコード５５Ｍとがそれぞれ強調色で選択状態で表示される。なお、サマータイムマーク５４２の選択も切り替わる。
【００６５】
すなわち、操作ボタン４３２の操作に連動して、各タイムコード５５が時差の＋方向に順次選択状態とされ、操作ボタン４３２はプラス部材として機能する。このタイムコード５５の選択変更に伴い、時刻表示部３５に表示される時刻は、選択されたタイムコード５５の時差に基づいた時刻に更新される。本実施形態では、操作ボタン４３１を押した際に選択状態とされているタイムコード５５の示す時差が、計時部に設定される。
なお、操作ボタン４３２の押圧操作が所定秒連続した場合に、タイムコード５５の選択が順次切り替わるように構成されている。
【００６６】
図１４は、本実施形態における＋方向への時差選択切換えについて表形式で示す。すなわち、図１４（Ａ）に示すように、図１３（Ｃ）の状態で操作ボタン４３２を押すと、「１２」の時桁表示５１２および＋１２のタイムコード５５Ｍから、日付変更線を跨いで−１１のタイムコード５５Ｘへと選択状態が移る。この際、時差時間＋１１時間のタイムコード５５Ｌが選択された状態と同様に、「１１」の時桁表示５１１が強調表示される。
以降、操作ボタン４３２を押すたびに、時差−１０時間のタイムコード５５Ｗ、時差−９時間のタイムコード５５Ｖに選択状態が切り替わり、これらタイムコード５５Ｗまたはタイムコード５５Ｖの近傍位置の時桁表示５１０，５０９が順に強調表示されることで、現在選択されている時差時間を明示する。
【００６７】
一方、図１４（Ｂ）は、操作ボタン４３２を連続して押した際の動作を示し、この場合、図１３（Ｃ）の状態で操作ボタン４３２を押すと、「１２」の時桁表示５１２および＋１２のタイムコード５５Ｍから、時差０時間、すなわち基準時を示すタイムコード５５Ｚへと選択状態が移り、さらに操作ボタン４３２を押すと、−１のタイムコード５５Ｎへと選択状態が移る。
ここで、各タイムコード５５の配置から、表示パネル３０を地球儀に見立てることが可能であり、操作ボタン４３２の操作から、地球儀を回すのに似た操作感が生じる。
【００６８】
以上では、操作ボタン４３２の操作による＋方向への時差選択を説明したが、−方向へ時差選択する際には操作ボタン４３３を使用する。
図１５は、＋１２時間のタイムコード５５Ｍが選択状態とされている（Ａ）の状態から、操作ボタン４３３を押すことにより、＋１１時間、＋１０時間と順次時差がマイナスされることを示している。
また、図１６は、本実施形態における−方向への時差選択切換えについて表形式で示す。
−方向への時差修正は、操作部材として操作ボタン４３３を使用することで、操作ボタン４３２を使用する＋方向への時差修正と同様に行うことができる。
【００６９】
［９．各種モードによる表示］
時計１には、操作ボタン４３１〜４３３の操作で切り替わる複数種類のモードがあり、例えば、モード切替により、表示パネル３０における表示を白黒反転させることも可能である。
この白黒反転を実行するには、駆動回路部４０により、共通電極３２０への印加電位とセグメント電極３１０への印加電位との極性を逆にする。
図１２の表示を白黒反転させると、黒色の表示は白色となり、背景表示は白色から黒色に反転する。この際、ダークグレーの表示はライトグレーに、ライトグレーの表示はダークグレーに、それぞれ切り替わる。
また、毎正時などに実行されるアニメーションモードでは、例えば、ヒビ表示５３１が表示された後、ヒビ表示５３１とヒビ表示５３１とに挟まれた所定領域において、各セグメント電極３１０に対応する数字や文字などが表示パネル３０の長手方向の一端側から他端側へと流れるように繰り返し表示状態・非表示状態となる動きを持った表示状態となる。
その他のモードとして、時刻修正モードや、電源投入時に表示パネル３０の全画面を白黒に切り替えるフラッシュモードなどがある。
【００７０】
［１０．本実施形態による効果］
以上の本実施形態によれば、次のような効果を得ることができる。
（１）時計１は略円筒状に湾曲して設けられる表示パネル３０を備え、時差修正モードで操作ボタン４３２等を操作すると、表示パネル３０の画像領域の周方向にほぼ沿って並んだ各タイムコード５５のうち、計時部に設定される時差を示すものが時差の順に選択状態とされる。ここで、表示パネル３０の画像領域の周方向にほぼ沿って各タイムコード５５が時差の順で並ぶ様子が地球の経度方向に各国の都市が並ぶ態様に類似しているため、選択状態とされたタイムコード５５が示す時差を各時差の並びと共に直感的に、容易に把握できる。従って、操作ボタン４３２，４３３で現在の時差から時差を何個分、選択切換すればよいのかも直感的に容易に判る。
【００７１】
（２）加えて、表示パネル３０の略円筒状の画像領域の周方向に沿って各タイムコード５５が分散して配置されているため、その略環状の画像領域と一体感・統一感が有る良好な意匠性を獲得することができる。すなわち、略環状の画像領域を活かした時差表示方法を実現することができ、外観意匠性を大きく向上させることができる。
【００７２】
（３）また、時差設定の際の操作部材として各タイムコード５５の選択を切り替える方向が相違する操作ボタン４３２，４３３を備えることから、時差選択を容易に行なうことができる。これらの操作ボタン４３２，４３３を適宜選択することにより、タイムコード５５の選択を表示パネル３０の周方向に３６０°切り換えなくても迅速に時差設定可能となる。
【００７３】
（４）各タイムコード５５は、時差が同じで基準時に対する＋−が異なるもの毎に、互いに近接する位置にそれぞれ配置されていることから、各タイムコード５５の表示位置が整理された見やすい表示画面を実現できる。これにより、時差の選択操作も容易に行うことができる。
また、このように時差時間が同じタイムコード５５は近接配置することでスペース効率がよくなり、タイムコード５５の数が多くても画像領域にレイアウトし易くなる。レイアウトの自由度が広がることで、より装飾的な表現が可能となる。
【００７４】
（５）時差修正モードにおいて、選択状態とされないタイムコード５５も表示されることから、表示パネル３０の画像領域をより装飾的にできる。これにより、画面の意匠性をより一層向上させることができる。
ここで、このように複数のタイムコード５５が画像領域に分散して表示されていても、選択状態とされるタイムコード５５は黒色で強調表示され、他のタイムコード５５はライトグレーで表示されているので、この表示態様の相違に基づいて、選択状態にあるタイムコード５５を容易に判別できる。
【００７５】
（６）各時桁表示５００の配列と、各タイムコード５５の配列とが対応しており、各タイムコード５５は、それぞれが示す基準時からの差の時間と同じ数値を示す数字の位置と、表示パネル３０の周方向で近傍となる位置に配置されている。すなわち、選択状態とされるタイムコード５５の横位置の時桁表示５００が黒色で強調表示されると、時桁表示５００の数字によって、タイムコード５５が示す時間が直接的に示されることになる。
これにより、タイムコード５５自体をフォネティックコードのような、ある意味ミステリアスで暗示的かつ装飾的な表示とすることができる。
【００７６】
（７）表示パネル３０が電気泳動ディスプレイとされていることにより、高精細な表示が可能となるため、時差設定の見易さをより向上させることができる。
また、電気泳動ディスプレイは表示の保持性が高いことから、省電力化を図ることができる。
【００７７】
（８）タイムコード５５や時桁表示５００に係る表示態様の相違がコントラストの相違とされることにより、各タイムコード５５や各時桁表示５００に係る選択状態の表示態様と他の表示態様とをそれぞれ容易に実現でき、また、これらの各態様により、統一感ある表示とすることができる。
【００７８】
（９）時刻表示部３５が時差０のタイムコード５５Ｚの位置の近傍に配置されるため、この時刻表示部３５によって、また当該時刻表示部３５が配置された表示パネル３０の一端部に位置する飾り板３４によって、各タイムコード５５の配列が分断されない。つまり、タイムコード５５の並びが連続的となり、時刻表示部３５や飾り板３４を設けても各タイムコード５５の並びにおけるタイムコード５５の位置関係の把握を容易に行うことができる。
また、時差修正操作を行う際に、選択中の時差を適用した際の時刻が時刻表示部３５に表示されることで時差設定の操作性がより向上する。
【００７９】
（１０）時計１は略環状のケース２を備え、バングルタイプとされるから、表示パネル３０による装飾性をより効果的に発揮させることができる。
【００８０】
〔本発明の変形例〕
以上、本発明の実施態様について具体的に示したが、前記実施形態に限らず、本発明はその要旨を逸脱しない範囲で種々の改良、変形が可能である。
【００８１】
前記実施形態では、図１４、図１６のようにタイムコードの選択状態が切り替えられていたが、これに限らず、例えば、操作ボタン４３２を連続して押した際には、図１７のようにタイムコード（時差表示）の選択が切り替えられてもよい。また、操作ボタン４３３を連続して押した際には、操作ボタン４３２の場合と逆方向に、図１８のようにタイムコード（時差表示）の選択が切り替えられてもよい。
【００８２】
また、前記実施形態では、同じ時差時間で＋−が異なるタイムコード５５が対とされて２つずつまとめられて配置されていたが、まとめられずに各タイムコード５５が１つずつ、表示パネル３０の周方向にほぼ沿って時差の順に並べられていても良い。
そして、前記実施形態では、タイムコード５５の選択状態を示すのに時桁表示５００を使用していたが、時桁表示５００には関係なく、タイムコード５５のみを強調して表示することで、時差の選択状態を示しても良い。すなわち、前記実施形態では、表示される時差は１時間単位であったが、例えば０．５時間（３０分）など、時未満の時差も示すことも可能である。
また逆に、全てのタイムコード５５を同じコントラストで表示し、選択状態とするタイムコード５５近傍の時桁表示５００のみを強調して表示することによって、そのタイムコード５５の選択状態を示してもよい。
【００８３】
前記実施形態における表示方式は、セグメント駆動方式であったが、これに限らず、ドットマトリックス駆動方式でもよい。セグメント電極３１０の形状により表示の形状が決まるセグメント駆動方式と異なり、ドットマトリックス駆動方式では、時刻を表示する数字の向きや大きさ、数字の配列等をモードに応じて切り替えることが可能となる。つまり、図１２に示したように表示パネル３０の長手方向を表示の上下向きとする以外に、表示パネル３０の幅方向を表示の上下向きとしたり、表示パネル３０の長手方向に対して斜め方向を表示の上下向きとするように表示の向きを切り替えることなどが可能となる。ドットマトリックス駆動方式では、より多くの表示モードでより多様な表示を行うことが可能となる。
なお、ドットマトリックス駆動方式では、黒で表示されるドットと、白で表示されるドットとの集合における黒白の面積比に応じて、複数の階調色が表現可能となっている。
【００８４】
前記実施形態では、黒粒子３３１Ａおよび白粒子３３１Ｂによる白黒二粒子系の電気泳動が行われていたが、これに限らず、青白等の一粒子系の電気泳動を行っても良く、また、白黒以外の組み合わせでも構わない。
【００８５】
ここで、本発明の表示装置は、時計機能を有する各種電子機器に広く適用でき、このような機器としては、例えば、ＰＤＡ（Personal Digital Assistants）や、携帯電話、メモリカード、ディジタルカメラ、ビデオカメラ、プリンタ、パーソナルコンピュータなどを例示できる。
【００８６】
本発明を実施するための最良の構成、方法などは、以上の記載で開示されているが、本発明は、これに限定されるものではない。すなわち、本発明は、主に特定の実施形態に関して特に図示され、かつ、説明されているが、本発明の技術的思想および目的の範囲から逸脱することなく、以上述べた実施形態に対し、形状、材質、数量、その他の詳細な構成において、当業者が様々な変形を加えることができるものである。
したがって、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００８７】
【図１】本発明の実施形態における時計の外観斜視図。
【図２】前記実施形態の時計の横断面図。
【図３】図２のIII−III線断面図。
【図４】前記実施形態の時計の側面図。
【図５】前記実施形態の表示パネルおよび回路基板の平面図。
【図６】前記実施形態の表示パネルの断面図。
【図７】表示パネルの電気泳動層を示す模式図。
【図８】前記実施形態の表示パネルの平面図。
【図９】前記実施形態の表示パネルにおける時表示、十分桁表示、および一分桁表示を示す図。
【図１０】前記実施形態の表示パネルにおける装飾表示を示す図。
【図１１】前記実施形態の表示パネルにおけるタイムコードを示す図。
【図１２】前記実施形態の表示パネルにおける時刻表示を示す図。
【図１３】前記実施形態の表示パネルにおける＋方向への時差選択を説明する図。
【図１４】前記実施形態における＋方向への時差選択切換えについて示す図。
【図１５】前記実施形態の表示パネルにおける−方向への時差選択を説明する図。
【図１６】前記実施形態における−方向への時差選択切換えについて示す図。
【図１７】本発明の変形例における時差選択切換えについて示す図。
【図１８】本発明の変形例における時差選択切換えについて示す図。
【図１９】タイムゾーン（Ｚ，Ａ，Ｂ・・・）を示す模式図。
【符号の説明】
【００８８】
１・・・時計（表示装置）、２・・・ケース、３０・・・表示パネル（表示体、電気泳動ディスプレイ）、３５・・・時刻表示部（時差時刻表示部）、４０・・・駆動回路部（計時部を備える）、５５，５５Ａ〜５５Ｚ・・・タイムコード（時差表示）、４３１〜４３３・・・操作ボタン（操作部材）、５００，５０１〜５１２・・・時桁表示（数字）。
【図１】
2008145173.tif 000003
【図２】
2008145173.tif 000004
【図３】
2008145173.tif 000005
【図４】
2008145173.tif 000006
【図５】
2008145173.tif 000007
【図６】
2008145173.tif 000008
【図７】
2008145173.tif 000009
【図１１】
2008145173.tif 000010
【図１４】
2008145173.tif 000011
【図１６】
2008145173.tif 000012
【図１７】
2008145173.tif 000013
【図１８】
2008145173.tif 000014
【図１９】
2008145173.tif 000015
【図８】
2008145173.tif 000016
【図９】
2008145173.tif 000017
【図１０】
2008145173.tif 000018
【図１２】
2008145173.tif 000019
【図１３】
2008145173.tif 000020
【図１５】
2008145173.tif 000021